(57)【要約】      （修正有）【課題】消費者が購入に際して好きな色の短尺のカラーマーカーを２、３選択し、その使用及び保管に際してそれらを１本に繋ぎ合わせることができるカラーマーカー販売用セットを提供する。【解決手段】複数の短尺カラーマーカー１１をその種類ごとに収納するカップ３と、カップ３の下部を陥入する受入部２を並設した雛壇状のディスプレー台１と、カップ３内に収納される乾燥防止キャップ付きの短尺カラーマーカー１１と、乾燥防止キャップと交換して被着される先頭キャップ及びそれを収納するカップとを含んで構成され、短尺カラーマーカー１１には色の異なるものと芯の種類の異なるものとがそれぞれ複数ずつ含まれていて、そのすべての芯保持部が同一形状にされ、その芯保持部が各短尺カラーマーカー１１の尾部に形成される凹陥部内に密に嵌合可能にされる。【選択図】図１
0003195856.tif 000002
【実用新案登録請求の範囲】
【請求項１】
複数の短尺カラーマーカーをその種類ごとに収納するカップと、前記カップの下部を陥入する受入部を並設した雛壇状のディスプレー台と、前記カップ内に収納される乾燥防止キャップ付きの前記短尺カラーマーカーと、前記短尺カラーマーカーに前記乾燥防止キャップと交換して被着される先頭キャップ及びそれを収納するカップとを含んで構成され、前記短尺カラーマーカーには色の異なるものと芯の種類の異なるものとがそれぞれ複数ずつ含まれていて、そのすべての芯保持部が同一形状にされ、その芯保持部が前記各短尺カラーマーカーの尾部に形成される凹陥部内に密に嵌合可能であることを特徴とするカラーマーカー販売用セット。
【請求項２】
前記短尺カラーマーカーの芯の種類として、筆記幅０．５ｍｍ程度の極細用、筆記幅１．０ｍｍ程度の細字用及びそれ以上の幅の太字用を含む、請求項１に記載のカラーマーカー販売用セット。
【請求項３】
前記先頭キャップはその頂部が前記短尺カラーマーカーの尾部の凹陥部に嵌合可能である、請求項１又は２に記載のカラーマーカー販売用セット。
【考案の詳細な説明】
【技術分野】
【０００１】
本考案はカラーマーカー販売用セットに関するものであり、より詳細には、消費者が短尺のカラーマーカーを２、３本選択して繋げて一本の複色カラーマーカーにカスタマイズできる短尺カラーマーカーを販売するためのセットに関するものである。
【背景技術】
【０００２】
近年、多種多様のカラーマーカー（蛍光ペンも含む）が多数発売されているが、多色の、また、芯の太さの異なるカラーマーカーを所持しようとした場合は多数本となるために嵩張り、扱いにくいものとなる。例えば、３種類の芯の太さのものを５色分欲する者は、１５本購入する必要があるが、通例、１４〜１５ｃｍほどの長さのものを１５本も携帯所持することは煩わしいことである。また、多色のカラーマーカーをセット売りしている場合もあるが、その場合は、欲しない色が含まれていることもあり、無駄が出やすい。
【０００３】
そこで、よりスマートに多色のカラーマーカーを使用し、あるいは、携帯所持することが可能なカラーマーカーが求められる。従来、このような要請に応えるものとして、実開平０５−４１８８３号公報に記載のカラーマーカーが提案されている。この考案に係るカラーマーカーは、本体両端に、それぞれ別の色のマーカー芯が配設されていて、１本のマーカーで２色使うことを可能にしたものである。
【０００４】
しかるに、この考案に係るカラーマーカーの場合は、従来の単色のものに比べ、１本の軸に２色のマーカー芯を備えているところから、１本で２色の使用が可能となる利点があるものの、その場合の２色は予め製造販売者によって決定されてしまうものであって、消費者側に選択の余地はない（消費者が緑と黄色の組み合わせのものを欲した場合、必ずしもそのような組み合わせのものがあるとは限らない。）。
【０００５】
一方、販売者側から見た場合、上記多種多様なカラーマーカーをそれぞれ販売のために多数用意する必要があるため、その陳列に場所を取られるという問題がある。また、その販売のための陳列は一般に、碁盤上に仕切りを配したプラスチックケースの各区画に、種類別に差し込む方法によって行われているが、雑然としていてあまり見た目のよいものではない。
【先行技術文献】
【特許文献】
【０００６】
【特許文献１】実開平０５−４１８８３３号公報
【考案の概要】
【考案が解決しようとする課題】
【０００７】
上述したように、従来種々の色又は種々の芯の太さのカラーマーカーを欲する者は、その色及び芯の太さの分のカラーマーカーを購入する必要があり、その場合は、携帯所持に嵩張るという問題があり、セット物の場合は不必要なものが含まれる可能性があって、無駄が出やすいという問題があった。また、従来提案されている多色マーカーは２色のものであり、しかも、消費者側においてその色の組み合わせを選定する余地はなかった。
【０００８】
そこで本考案は、消費者が購入に際して好きな色の短尺のカラーマーカーを２、３選択し、その使用及び保管に際してそれらを１本に繋ぎ合わせることができ、以て、携帯保持に際して嵩張らず、且つ、使用に際して散乱しないために一部を紛失しにくく、一部を紛失したりインク切れとなった場合には、その不足分を低コストにて補充することができて無駄がないカラーマーカー販売用セットを提供することを課題とする。
【課題を解決するための手段】
【０００９】
上記課題を解決するための請求項１に記載の考案は、複数の短尺カラーマーカーをその種類ごとに収納するカップと、前記カップの下部を陥入する受入部を並設した雛壇状のディスプレー台と、前記カップ内に収納される乾燥防止キャップ付きの前記短尺カラーマーカーと、前記短尺カラーマーカーに前記乾燥防止キャップと交換して被着される先頭キャップ及びそれを収納するカップとを含んで構成され、前記短尺カラーマーカーには色の異なるものと芯の種類の異なるものとがそれぞれ複数ずつ含まれていて、そのすべての芯保持部が同一形状にされ、その芯保持部が前記各短尺カラーマーカーの尾部に形成される凹陥部内に密に嵌合可能であることを特徴とするカラーマーカー販売用セットである。
【００１０】
一実施形態においては、前記短尺カラーマーカーの芯の種類として、筆記幅０．５ｍｍ程度の極細用、筆記幅１．０ｍｍ程度の細字用及びそれ以上の幅の太字用を含む。また、前記先頭キャップはその頂部が前記短尺カラーマーカーの尾部の凹陥部に嵌合可能である。
【考案の効果】
【００１１】
本考案は上記のとおりであって、消費者は、カップ内に種類ごとに収納されている短尺カラーマーカーの中から所望のものを複数選択して購入し、その後、１つの短尺カラーマーカーの芯保持部を他の短尺カラーマーカーの尾部の凹陥部に嵌合する方法で２本又は３本連結して一体化し、先頭の短尺カラーマーカーの芯保持部に先頭キャップを嵌め付けることで、１本の長尺な複色カラーマーカーとして、場所を取らず且つ散乱させることなく保管・携帯することができ、使用時には先頭キャップを外し、また、先頭の短尺カラーマーカーと２番目又は３番目の短尺カラーマーカーと差し替えて使用し得る効果がある。
【００１２】
また、短尺カラーマーカーを収納したカップは、雛壇状のディスプレー台の受入部に嵌合して陳列されるため、見栄えがよく、消費者にとっても多数種の短尺カラーマーカーを識別しやすくなり、その購買意欲をそそるという効果がある。
【図面の簡単な説明】
【００１３】
【図１】本考案に係るカラーマーカー販売用セット全体の外観例を示す斜視図である。
【図２】本考案に係るカラーマーカー販売用セットにおける短尺カラーマーカーのカップ内収納状態を示す斜視図である。
【図３】本考案に係るカラーマーカー販売用セットにおけるカップ内に配置される仕切り構成例を示す斜視図である。
【図４】本考案に係るカラーマーカー販売用セットにおける短尺カラーマーカーの構成例を示す斜視図である。
【図５】本考案に係るカラーマーカー販売用セットにおける短尺カラーマーカーの組み合わせ例を示す分解図である。
【図６】図５に示す例の組み立て状態を示す図である。
【図７】図５に示す例の使用状態を示す図である。
【図８】本考案に係るカラーマーカーの使用状態を示す斜視図である。
【考案を実施するための形態】
【００１４】
本考案を実施するための形態について、添付図面を参照しつつ詳細に説明する。本考案に係る短尺カラーマーカー販売用セットは、複数の短尺カラーマーカー収納用カップ３と、カップ３の下部を陥入する受入部２を並設した雛壇状のディスプレー台１と、カップ３内に収納される乾燥防止キャップ１２付きの短尺カラーマーカー１１と、短尺カラーマーカー１１にその乾燥防止キャップ１２と交換して被着する先頭キャップ１３とを含んで構成されるものである（図１参照）。
【００１５】
短尺カラーマーカー１１には色の異なるものと芯の種類の異なるものとがそれぞれ複数ずつ含まれるが、それらはすべて、軸筒よりも小径の芯保持部１４が共通の形状となるように形成される（図５参照）。図５に示される芯は、（Ａ）角芯、（Ｂ）太字丸芯、（Ｃ）細字丸芯である。また、各短尺カラーマーカー１１の芯保持部１４が、他の短尺カラーマーカー１１の尾部に形成される凹陥部１５内に密に嵌合するように、芯保持部１４と凹陥部１５とが対応形状に形成される（図６参照）。
【００１６】
カップ３は、通例、円筒形の透明プラスチック容器であり、必要に応じ、内部を二分する仕切り４が装入される（図２、３参照）。仕切り４は厚紙で形成することができ、その底部がカップ３の内底面対応形状とされる。先頭キャップ１３を多数収納するカップ（図示してない）は、通例、ディスプレー台１に配備されるカップ３よりも大きめになるため、ディスプレー台１外に別途配備される。
【００１７】
先頭キャップ１３は、短尺カラーマーカー１１を繋ぎ合わせた後に先頭に装着するキャップであり（図６、７参照）、元々各カラーマーカー１１ごとに装着されていた乾燥防止キャップ１２とは異なるもので、通例、乾燥防止キャップ１２よりも大径である。先頭キャップ１３は、短尺カラーマーカー１１の芯保持部１４を密に嵌入させるための空間部を有すると共に、頂部に芯保持部１４の太径部と同径の嵌合部１３ａを有する。短尺カラーマーカー１１単体時に装着される乾燥防止キャップ１２は、短尺カラーマーカー１１を繋ぎ合わせる際に外されて、以後不要のものとなる（図４参照）。
【００１８】
本考案に係るカラーマーカー販売用セット及び繋ぎ合わせが可能な短尺カラーマーカー１１は上記のとおりのものであり、使用者は、ディスプレー台１上のカップ３内に種類別に用意された短尺カラーマーカー１１の中から、好みの色又は芯のサイズのものを選択購入することができる。そして、それらの短尺カラーマーカー１１の乾燥防止キャップ１２を外し、適宜順番にて、１つの短尺カラーマーカー１１の芯保持部１４を他の短尺カラーマーカー１１の凹陥部１４に嵌合する方法で、通例、３つ繋ぎ合わせ、芯が露出している先頭の短尺カラーマーカー１１の芯保持部１４に先頭キャップ１３を被着することで、自分の好みに合った１本軸の多色カラーマーカーを作ることができる（図６、７参照）。
【００１９】
図６〜図８に示す例は、同じ太字丸芯で、例えば、ピンク（１１ａ）、黄（１１ｂ）、緑（１１ｃ）の３色の短尺カラーマーカー１１を組み合わせたもので、使用時には、先頭キャップ１３は、先頭の短尺カラーマーカー１１ａから外し、その嵌合部１３ａを最後尾の短尺カラーマーカー１１ｃの凹陥部１５内に嵌入させておく（図８参照）。かくして、使用時に先頭キャップ１３が紛失することを防止することができる。
【００２０】
このように、本考案に係るカラーマーカー販売用セットにおいては、消費者が購入に際して好きな色の短尺カラーマーカー１１を２、３選択し、その使用及び保管に際してはそれらを簡単に１本軸に繋ぎ合わせることができ、以て、携帯保持に際して嵩張らず、且つ、使用に際して散乱しないものとすることができ、一部を紛失したりインク切れとなった場合には、その不足分のみ買い足して補充することができるので無駄がない。
【００２１】
また、短尺カラーマーカー１１を収納したカップ３は、雛壇状のディスプレー台１の受入部２に嵌合して陳列されるため、見栄えがよく、消費者にとっても多数種の短尺カラーマーカー１１を識別しやすくなり、その購買意欲をそそる効果を期待することができる。
【００２２】
この考案をある程度詳細にその最も好ましい実施形態について説明してきたが、この考案の精神と範囲に反することなしに広範に異なる実施形態を構成することができることは明白である。従って、この考案は、添付請求の範囲において限定した以外はその特定の実施形態に制約されるものではない。
【符号の説明】
【００２３】
１      ディスプレー台
２      受入部
３      カップ
４      仕切り
１１    短尺カラーマーカー
１２    乾燥防止キャップ
１３    先頭キャップ
１４    芯保持部
１５    凹陥部
１６    嵌合部
【図１】
0003195856.tif 000003
【図２】
0003195856.tif 000004
【図３】
0003195856.tif 000005
【図４】
0003195856.tif 000006
【図５】
0003195856.tif 000007
【図６】
0003195856.tif 000008
【図７】
0003195856.tif 000009
【図８】
0003195856.tif 000010